(57)【要約】【課題】本発明は、筆記具に磁石を用いたことにより、他の筆記具とは異なる新たな操作感を備えるとともに、他の筆記具に比べて筆記具を構成する部品数を少なくし、従来よりも小サイズの筆記具を提供することを課題とする。【解決手段】前記筆記先端21が前記先軸11から突出していない状態では、前記ボタン50の一部が前記スライダー40を前記開口部と反対方向に押圧することで、前記第１磁石60と前記第２磁石61とが引き合わず、前記ボタン50を前方に摺動させた状態では、該ボタン50の一部による前記スライダー40への押圧が解除され、前記第２磁石61が前記第１磁石60の直前の位置で該第１磁石60と引き合って、前記先軸11から前記筆記先端21が突出することを特徴とする筆記具1。【選択図】図８
2018158522.tif 000002
【特許請求の範囲】
【請求項１】
軸筒の先端から出没する筆記先端を含むリフィルを備えた筆記具において、
前記リフィルの前後の移動に関与し、前記軸筒の先端から前記筆記先端を出没させるためのボタンを備え、
前記軸筒内には、前記軸筒内で固定された磁束を持つ第１磁石と、前記ボタンの操作に伴い前後に摺動する磁束を持つ第２磁石とを備え、前記第１磁石及び前記第２磁石の磁束密度が２００ｍＴ以上であることを特徴とする筆記具。
【請求項２】
先軸と後軸とを備えた軸筒と、
前記先軸の先端から出没する筆記先端を含むリフィルとを備えた筆記具において、
前記後軸の後端付近の内部に収容されるホルダーと、
前記後軸と該後軸に収容された前記ホルダーとを貫通するように、長手方向に沿って形成された開口部と、
前記ホルダーの内部に収容され、前記リフィルの後端と連結するスライダーと、
前記リフィルの前後の移動に関与し、前記開口部を貫通して前記スライダーにその一部が収容されるボタンとを備え、
前記ホルダーの後端には、前記軸筒の前後に極性を有する方向で第１磁石が装着され、
前記スライダーの後端には、前記第１磁石と同一の極性の方向であって、かつ、該第１磁石と磁力が生じる位置に第２磁石が装着され、
前記筆記先端が前記先軸から突出していない状態から、前記ボタンを前記スライダーと共に前方に摺動させた後、前記第１磁石と前記第２磁石との反発によって前記スライダーが前記ボタンから解除され更に前記スライダーが摺動し、前記第２磁石が前記第１磁石の前端面の位置で引き合うことで、前記先軸から前記筆記先端が突出することを特徴とする筆記具。
【請求項３】
先軸と後軸とを備えた軸筒と、
前記先軸の先端から出没する筆記先端を含むリフィルとを備えた筆記具において、
前記後軸の後端付近の内部に収容されるホルダーと、
前記後軸の外周面と内面とが貫通して長手方向に沿って形成された後軸開口部と、
前記ホルダーを前記後軸開口部と径方向の同一位置で貫通するように、長手方向に沿って形成されたホルダー開口部と、
前記ホルダーの内部に収容され、前記リフィルの後端と連結するスライダーと、
前記リフィルの前後の移動に関与し、前記後軸開口部及び前記ホルダー開口部に一部が収容されると共に前記スライダーに前記一部が収容されるボタンとを備え、
前記ボタンは、前記後軸開口部から外方に突出するボタン突出部と、前記ボタン突出部と連接するとともに前記後軸の内部に収容され、かつ、前記ホルダー開口部側の面に段部を有するボタン胴部と、前記ボタン胴部と連接し、前記スライダーに収容されるボタン挿入部とを備え、
前記ホルダー開口部の後端縁は、前記後軸開口部の後端縁よりも後方に位置し、
前記スライダーは、前記後軸開口部及び前記ホルダー開口部に対向する面に、前記ボタン挿入部を前後に移動可能に収容するためのスライダー収容溝が形成されており、
前記ホルダーの後端には、前記軸筒の前後に極性を有する方向で第１磁石が装着され、
前記スライダーの後端には、前記第１磁石と同一の極性の方向であって、かつ、該第１磁石と磁力が生じる位置に第２磁石が装着され、
前記筆記先端が前記先軸から突出していない状態では、前記ボタン胴部の前記段部が前記ホルダー開口部の後端縁に当接し、前記ボタン挿入部が前記スライダー収容溝を前記後軸開口部側と反対方向に押圧されることで、前記第１磁石と前記第２磁石とが離間し、前記ボタン突出部を前方に摺動させるに伴い、前記ボタン胴部の前記段部と前記ホルダー開口部の後端縁から離間されることで、前記ボタン挿入部と前記スライダー収容溝とが共に前方に摺動された後、該第２磁石が該第１磁石の前端面に位置することで、前記先軸から前記筆記先端が突出することを特徴とする筆記具。
【発明の詳細な説明】
【技術分野】
【０００１】
本発明は、ノック機構を用いた筆記具に関する。
【背景技術】
【０００２】
近年、環境の変化に伴い、以下のように磁気カードの使用シーンが減少している。
（１）電車の定期券の変化
従来、多くの電車の定期券には磁気カードが使用されていた。この磁気カードは、磁石を近づけると磁石から生じる磁力により磁気カードの磁気が乱れ、最悪の場合、使用不能となることがあるため、磁力の生じるものと同一箇所に収容しておくことは困難であった。
しかし、近年の環境の変化に伴い、電車の定期券としてＩＣカードが登場し、多くの人が磁気カードではなくＩＣカードの定期券を使用するようになってきている。このＩＣカードは、磁気カードに比べて、磁力の影響を受けにくいため、極めて強い磁気を持つものでなければ、ＩＣカードに近づけたとしても、ＩＣカードが備えるＩＣチップを破壊することがなく、使用不能になることがない。そのため、ＩＣカードは、磁気カードと異なり、磁力を備えた持ち物と同一箇所に容易に収容することができる。
【０００３】
（２）ポイントカードなどの変化
従来、特定の販売店で使用されるポイントカードなどについても磁気カードが使用されていた。そのため、上記（１）と同様の問題が生じていた。
しかし、近年の環境の変化に伴い、ポイントカードなどについてもＩＣカードが登場してきた。このＩＣカードを用いたポイントカードなどは、このカードをかざすことでインターネットに記憶されたカード所有者の情報が取得可能であり、このポイントカード自体には情報が記憶されていない。また、近年では、インターネットを利用して携帯電話やスマートフォンなどの電子端末に表示された情報を提示するなどといったポイントカードの電子化が進み、ポイントカードを携帯しないことも可能となった。そのため、上記（１）と同様に、磁力を備えた持ち物を携帯することについての問題点が減少してきている。
【０００４】
これらの環境の変化により、磁力を備えた持ち物と、その他の定期入れ等の定期券を収容している持ち物とを同一の鞄等に収納することについての問題が少なくなった。そのため、学生や社会人等の多くの人が鞄に収納しているであろう筆記具と定期入れとを例にすると、筆記具に磁石を用いたとしても定期券がＩＣカードであれば、問題なく同一の鞄に収納することができる。
そして、磁石を用いた筆記具については、以下に示す特許文献にその技術が開示されている。
【先行技術文献】
【特許文献】
【０００５】
【特許文献１】実開昭６３−１６１７８２号公報
【特許文献２】実開平６−４５７９１号公報
【特許文献３】特開２００５−１３１８９２号公報
【特許文献４】特開２０１５−１１２７７５号公報
【発明の概要】
【発明が解決しようとする課題】
【０００６】
そこで本発明は、筆記具に磁石を用いたことにより、他の筆記具とは異なる新たな操作感を備えるとともに、他の筆記具に比べて筆記具を構成する部品数を少なくし、従来よりも小サイズの筆記具を提供することを課題とする。
【課題を解決するための手段】
【０００７】
上記課題を解決するために、本発明は、以下のような構成を備える。
（第１の発明）
本発明のうち第１の発明に係る筆記具1は、軸筒10の先端から出没する筆記先端を含むリフィル20を備えた筆記具1において、前記リフィル20の前後の移動に関与し、前記軸筒10の先端から前記筆記先端を出没させるためのボタン50を備え、前記軸筒10内には、前記軸筒10内で固定された磁束を持つ第１磁石60と、前記ボタン50の操作に伴い前後に摺動する磁束を持つ第２磁石61とを備え、前記第１磁石60及び前記第２磁石61の磁束密度が２００ｍＴ以上であることを特徴とする。
【０００８】
第１の発明に係る筆記具1は、上記の構成を備えることで以下の作用が生じる。
第１の発明に係る筆記具1は、少なくとも軸筒10内に二つの磁石を用い、その磁石の磁束密度を２００ｍＴ以上とすることで、二つの磁石の反発力を利用し、軸筒10の先端からリフィル20を出没可能な筆記具を得ることができる。
【０００９】
（第２の発明）
本発明のうち第２の発明に係る筆記具1は、先軸11と後軸13とを備えた軸筒10と、前記先軸11の先端から出没する筆記先端21を含むリフィル20とを備えた筆記具1において、前記後軸13の後端付近の内部に収容されるホルダー30と、前記後軸13と該後軸13に収容された前記ホルダー30とを貫通するように、長手方向に沿って形成された開口部（14、31）と、前記ホルダー30の内部に収容され、前記リフィル20の後端と連結するスライダー40と、前記リフィル20の前後の移動に関与し、前記開口部（14、31）を貫通して前記スライダー40にその一部が収容されるボタン50とを備え、前記ホルダー30の後端には、前記軸筒10の前後に極性を有する方向で第１磁石60が装着され、前記スライダー40の後端には、前記第１磁石60と同一の極性の方向であって、かつ、該第１磁石60と磁力が生じる位置に第２磁石61が装着され、前記筆記先端21が前記先軸11から突出していない状態から、前記ボタン50を前記スライダー40と共に前方に摺動させた後、前記第１磁石60と前記第２磁石61との反発によって前記スライダー40が前記ボタン50から解除され更に前記スライダー40が摺動し、前記第２磁石61が前記第１磁石60の前端面の位置で引き合うことで、前記先軸11から前記筆記先端21が突出することを特徴とする。
【００１０】
第２の発明に係る筆記具1は、上記の構成を備えることで以下の作用が生じる。
（１）筆記先端21が先軸11から突出していない状態（以下、「没入状態」とする。）では、第１磁石60と第２磁石61との間に生じる磁力により各々の磁石が引き合い、第２磁石61が開口部（14、31）の方向、即ち軸線の外周方向に移動しようとしているが、ボタン50の一部がスライダー40を開口部（14、31）と反対方向、即ち軸線の中心方向に押圧する力の方が磁力よりも強いため、第２磁石61が移動することがない。
【００１１】
（２）没入状態においてボタン50を前方に摺動させると、スライダー40に設けられた第２磁石61も共に摺動し開口部（14、31）の方向に配置された第１磁石60と引き合う位置となる。そして、第１磁石60と第２磁石61とが反発することで第２磁石61が軸筒10内を前進し、第１磁石60の前端面に位置したことに伴って、スライダー40に連結しているリフィル20も軸筒10内を前進した結果、先軸11から筆記先端21が完全に突出した状態（以下、「突出状態」とする。）が維持される。
【００１２】
（第３の発明）
本発明のうち第３の発明に係る筆記具1は、先軸11と後軸13とを備えた軸筒10と、前記先軸11の先端から出没する筆記先端21を含むリフィル20とを備えた筆記具1において、前記後軸13の後端付近の内部に収容されるホルダー30と、前記後軸13の外周面と内面とが貫通して長手方向に沿って形成された後軸開口部14と、前記ホルダー30を前記後軸開口部14と径方向の同一位置で貫通するように、長手方向に沿って形成されたホルダー開口部31と、前記ホルダー30の内部に収容され、前記リフィル20の後端と連結するスライダー40と、前記リフィル20の前後の移動に関与し、前記後軸開口部14及び前記ホルダー開口部31に一部が収容されると共に前記スライダー40に前記一部が収容されるボタン50とを備え、前記ボタン50は、前記後軸開口部14から外方に突出するボタン突出部51と、前記ボタン突出部51と連接するとともに前記後軸13の内部に収容され、かつ、前記ホルダー開口部31側の面に段部54を有するボタン胴部52と、前記ボタン胴部52と連接し、前記スライダー40に収容されるボタン挿入部53とを備え、前記ホルダー開口部31の後端縁は、前記後軸開口部14の後端縁よりも後方に位置し、前記スライダー40は、前記後軸開口部14及び前記ホルダー開口部31に対向する面に、前記ボタン挿入部53を前後に移動可能に収容するためのスライダー収容溝43が形成されており、前記ホルダー30の後端には、前記軸筒10の前後に極性を有する方向で第１磁石60が装着され、前記スライダー40の後端には、前記第１磁石60と同一の極性の方向であって、かつ、該第１磁石60と磁力が生じる位置に第２磁石61が装着され、前記筆記先端21が前記先軸11から突出していない状態では、前記ボタン胴部52の前記段部54が前記ホルダー開口部31の後端縁に当接し、前記ボタン挿入部53が前記スライダー収容溝43を前記後軸開口部14側と反対方向に押圧されることで、前記第１磁石60と前記第２磁石61とが離間し、前記ボタン突出部51を前方に摺動させるに伴い、前記ボタン胴部52の前記段部54と前記ホルダー開口部31の後端縁から離間されることで、前記ボタン挿入部53と前記スライダー収容溝43とが共に前方に摺動された後、該第２磁石61が該第１磁石60の前端面に位置することで、前記先軸11から前記筆記先端21が突出することを特徴とする。
【００１３】
第３の発明に係る筆記具1は、上記の構成を備えることで以下の作用が生じる。
（１）没入状態では、第１磁石60と第２磁石61との間に生じる磁力により各々の磁石が引き合い、第２磁石61が後軸開口部14の方向に移動しようとしているが、ボタン挿入部53がスライダー収容溝43を後軸開口部14と反対方向に押圧する力の方が磁力よりも強い。また、没入状態では、段部54がホルダー開口部31の後端縁に当接しており、ボタン胴部52が後軸開口部14の方向へ移動することを防止しているため、第２磁石61が移動することがない。
【００１４】
（２）没入状態においてボタン突出部51を前方に摺動させると、段部54とホルダー開口部31の後端縁とが離間し、ボタン挿入部53によるスライダー収容溝43への押圧がない位置まで移動する。その結果、ボタン胴部52の下段と後軸13の内周面との間にホルダー開口部31の厚み分の空間が形成されるため、第２磁石61が後軸開口部14の方向に移動して第１磁石60と引き合うこと及び反発することが可能となる。そして、ボタン50の前方の摺動に伴い、スライダー40に収容された第２磁石61が軸筒10内を前進し、第１磁石60の前端面に位置するとともに、第２磁石61の磁力によりボタン胴部52の下段が後軸開口部14の前端縁方向に摺動したことに伴って、スライダー40に連結しているリフィル20も軸筒10内を前進した結果、突出状態となる。
【発明の効果】
【００１５】
本発明は、以上のように構成されているので、以下の効果を奏する。
本発明に係る筆記具を没入状態から突出状態へと移動させた場合、使用者は、他のノック式の筆記具とは異なる心地よい動作感、及び新たな感覚を得ることができる。
すなわち、他のノック式の筆記具の没入状態から突出状態への移動は、筆記具をノックして軸筒内のリフィルと連結したノック部品を前進させた結果、ノック部品と他の部品とが係合することで突出状態を維持するという構成となっている。そして、このノック部品が他の部品と係合する過程は、一度他の部品をノック部材が所定の幅だけ前方に追い越した後、ノック部品が所定の幅だけ後進して係合することでノック部品が定位置に収まる、といったものである。そのため、ノック部品の摺動する長さよりも長いリフィルの出没距離を確保できるため、全長の短いノック式の筆記具を提供することができる。
【００１６】
一方、本発明に係る筆記具の没入状態から突出状態への移動は、使用者により第１磁石に沿って前進させられた第２磁石が磁力により第１磁石と引き合うことで、第２磁石が一発で定位置に収まるというものである。したがって、他のノック式の筆記具のように余分な前方への移動を生じることがなくリフィルの出没に関与する第２磁石が一発で定位置に収まるため、従来の他の筆記具とは異なる心地よい動作感及び新たな感覚を得ることができる。
【００１７】
また、本発明に係る筆記具は、他のノック式の筆記具と比べて構成する部品数が少ないため、小サイズの筆記具を提供することができる。すなわち、リフィルの出没に関与する部品は主として第１磁石及び第２磁石の２つの磁石なので、他のノック式の筆記具のようなノック機構を搭載する必要がない。そのため、軸筒の外径を小さくすることができ、従来よりも小サイズの筆記具を提供することができる。
【図面の簡単な説明】
【００１８】
【図１】本実施の形態に係る筆記具の突出状態における斜視図である。
【図２】本実施の形態に係る筆記具を構成する部品の分解図である。
【図３】本実施の形態に係る先軸の斜視図（Ａ）及び断面図（Ｂ）である。
【図４】本実施の形態に係る後軸の斜視図（Ａ）及び断面図（Ｂ）である。
【図５】本実施の形態に係るホルダーの斜視図（Ａ）、断面図（Ｂ）及び後端拡大図（Ｃ）である。
【図６】本実施の形態に係るスライダーの斜視図（Ａ）、断面図（Ｂ）及び後端拡大図（Ｃ）である。
【図７】本実施の形態に係るボタンの斜視図（Ａ）及び断面図（Ｂ）である。
【図８】本実施の形態に係る筆記具の没入状態から突出状態への移動を示した図である。
【図９】本実施の形態に係る筆記具の突出状態から没入状態への移動を示した図である。
【発明を実施するための形態】
【００１９】
以下、図面を参照しつつ、本実施の形態に係る筆記具1として、軸筒10の先端に筆記先端21を備えた筆記具1を例に説明する。なお、本発明において、筆記具1及びその構成部品についての「前方」及び「先端」とは筆記先端21を備えた方向を示し、「後方」及び「後端」とはその反対側の方向を示すものとし、「上下」とは各図面における上方向及び下方向を示すものとする。また、ここで述べる「反発」とは、磁石の作用による部品の移動や動作が必要である状態を示し、「引き合う（引き合い）」とは磁石の作用によって部品の移動が停止する状態であることを示す。
【００２０】
（全体構成）
本実施の形態に係る筆記具1は、図１に示すように、先軸11及び後軸13を備えた軸筒10と、先軸11の先端から突出する筆記先端21を含むリフィル20と、このリフィル20の前後の摺動に関与し、一部が後軸13から突出しているボタン50とを備えた外観を呈している。
また、図２に示すように、本実施の形態に係る筆記具1は、図１に示した構成に加えて、後軸13の後端付近の内部に収容されるホルダー30と、ホルダー30の内部に収容され、リフィル20の後端と連結するスライダー40と、軸筒10の前後に極性を有する方向でホルダー30の後端に装着される第１磁石60と、第１磁石60と同一の極性の方向であって、かつ、スライダー40の後端において第１磁石60と磁力が生じる位置に装着される第２磁石61とを備えている。
なお、本実施の形態に係る筆記具1は、ボールペンであるため、リフィル20はボールペンリフィル20であるが、リフィル20の種類はこれに限られない。すなわち、筆記具1をシャープペンシルとして、リフィル20をシャープペンシルリフィルとすることや筆記具1をマーキングペンとして、リフィル20をマーキングペンリフィルとする等も可能である。
【００２１】
（先軸11）
先軸11は、図３（Ａ）に示すように、その後端側から先端側にかけてテーパー状に形成された筒状の部品である。また、先軸11は、図３（Ｂ）に示すように、その後端に後軸13と固定するための先軸雄ネジ12が形成されている。
【００２２】
（後軸13）
後軸13は、図４（Ａ）に示すように、筒状の部品であって、その中央付近にボタン50が収容されるための後軸開口部14が形成されている。図４（Ｂ）に示す、後軸開口部14の開口の長さαは、後述するホルダー開口部31の開口の長さβ（図５（Ｂ）参照。）よりも小さくなっている。
また、後軸13は、図４（Ｂ）に示すように、その先端に先軸11と固定するための後軸雌ネジ15が形成されており、この後軸雌ネジ15と先軸雄ネジ12とを螺合することで、先軸11と後軸13とを固定することができる。
【００２３】
（ホルダー30）
ホルダー30は、図５（Ａ）に示すように、後軸13の後端付近の内部に収容される筒状の部品であって、その中央付近にボタン50が収容されるためのホルダー開口部31が形成されている。図５（Ｂ）に示す、ホルダー開口部31の開口の長さβは、前述の通り、後軸開口部14の開口の長さαよりも大きくなっており、ホルダー30が後軸13内に収容された際に、ホルダー開口部31の後端縁が後軸開口部14の後端縁よりも後方に位置するようになっている。
【００２４】
また、ホルダー30は、図５（Ｂ）及び（Ｃ）に示すように、その後端に第１磁石60を装着するための空間として第１磁石収容部32を有している。そして、この第１磁石収容部32に軸筒10の前後に極性を有する方向で第１磁石60が装着される。なお、第１磁石収容部32の下端縁の幅は、第１磁石60の外径よりも小さく形成されているため、第１磁石60が自重又は磁力により第１磁石収容部32から外れることはない。
【００２５】
（スライダー40）
スライダー40は、図６（Ａ）に示すように、リフィル20の後端と連結するスライダー挿入部42と、このスライダー挿入部42と連接しているスライダー胴部41と、このスライダー胴部41の中央付近に形成されており、ボタン50を前後に摺動可能に収容するスライダー収容溝43とを備えている。また、スライダー40は、図６（Ｂ）及び（Ｃ）に示すように、その後端に第２磁石61を装着するための空間として第２磁石収容部44を有している。そして、この第２磁石収容部44に第１磁石60と同一の極性の方向で第２磁石61が装着される。第１磁石60と第２磁石61とが装着された状態では、第１磁石60と第２磁石61とが磁力が生じる位置関係になっている。なお、第２磁石収容部44の上端縁の幅は、第２磁石61の径よりも小さく形成されているため、第２磁石61が磁力により第２磁石収容部44から外れることはない。
【００２６】
（ボタン50）
ボタン50は、図７（Ａ）及び（Ｂ）に示すように、後軸開口部14から突出するボタン突出部51と、このボタン突出部51と連接するとともに後軸13の内部に収容され、かつ、ホルダー開口部31側の面に段部54を有するボタン胴部52と、このボタン胴部52と連接し、スライダー収容溝43に収容されるボタン挿入部53とを備えている。このとき、ボタン胴部52は、段部54を境に上段と下段との２段構造に形成されている。
【００２７】
（第１磁石60、第２磁石61）
第１磁石60及び第２磁石61は、長期に亘りノック機能を確保できる永久磁石が用いられ、特に筆記具という省スペースに収容する課題を解決することができる小型で強い磁力を得られるネオジム磁石を用いるのが望ましい。ネオジム磁石の材質は、Ｎ−３０、Ｎ−３５、Ｎ−４０、Ｎ−５０等が用いられ、その時の磁束密度は、少なくとも２００ｍＴ以上、好ましくは３００〜５００ｍＴである。２００ｍＴ未満とすると十分なノック感が得られない。５００ｍＴより大きくするとノック操作を戻す際に非常に大きな操作荷重を必要とするので、ノック式筆記具として使用に適さない。なお磁束密度は磁力測定器（例えば日本電磁測器株式会社ＧＶ−４００Ｔ）を用いて第１磁石60及び第２磁石61の表面の最大値を測定することで求めることができる。
また、本実施の形態では円柱形のネオジム磁石を第１磁石60及び第２磁石61として用い、第１磁石60を第１磁石収容部32に、第２磁石61を第２磁石収容部44に収容している。
【００２８】
（図８を用いた没入状態から突出状態への移動の説明）
以下、図８を用いて、本実施の形態に係る筆記具1が没入状態から突出状態へと推移する過程を説明する。
（１）図８（Ａ）は、没入状態を示した図である。この没入状態では、第１磁石60と第２磁石61との間に生じる磁力により各々の磁石が引き合い、第２磁石61が後軸開口部14の方向（前方）に移動しようとしているが、ボタン挿入部53がスライダー収容溝43を後軸開口部14と反対方向（後方）に押圧する力の方が磁力よりも強くなっている。また、没入状態では、段部54がホルダー開口部31の後端縁に当接しており、ボタン胴部52が後軸開口部14の方向（前方）へ移動することを阻止している。そのため、第２磁石61が後軸開口部14の方向（前方）に移動することがなく、筆記先端21が先軸11から突出していない没入状態が維持されることとなっている。なお、段部54とホルダー開口部31の後端縁とは当接しなくても、第１磁石60と第２磁石61との間に生じる磁力により没入状態を維持することができる。
【００２９】
（２）図８（Ｂ）は、没入状態からボタン50を後軸開口部14及びホルダー開口部31の先端縁まで摺動させた状態を示した図である。この状態においては、段部54とホルダー開口部31の後端縁とが離間することで、ボタン挿入部53によるスライダー収容溝43への押圧がない位置まで移動している。そして、その結果、ボタン胴部52の下段と後軸13の内周面との間にホルダー開口部31の厚み分の空間が形成されている。また、ボタン50の前進に伴って、第２磁石61も第１磁石60と引き合うことが可能な位置まで移動するとともに、スライダー40に連結しているリフィル20も軸筒10内を前進し、筆記先端21の一部が先軸11から突出する位置まで移動している。
【００３０】
（３）図８（Ｃ）は、突出状態を示した図である。この突出状態においては、第１磁石60と第２磁石61とが反発することで第２磁石61が軸筒10内を前進し、第１磁石60の前端面に位置するとともに、第２磁石61の磁力によりボタン胴部52の下段が上記（２）の状態で形成された空間を圧縮するように後軸開口部14の外周方向に移動してホルダー開口部31の後端縁に当接している。また、これに伴ってスライダー40に連結しているリフィル20も軸筒10内を前進した結果、先軸11から筆記先端21が完全に突出することとなる。すなわち、本実施の形態に係る筆記具1は、使用者がボタン50を後軸開口部14の後端縁から先端縁まで摺動させた距離だけでは、突出状態に至ることができず、この移動距離に加えて、磁力により第２磁石61が第１磁石60の直前まで移動する距離が相まって、はじめて突出状態に至ることができる。なお、リフィル20の移動時における第１磁石60と第２磁石61との隙間は、０．１〜２．０ｍｍを設けることが望ましい。
【００３１】
（図９を用いた没入状態から突出状態への移動の説明）
以下、図９を用いて、本実施の形態に係る筆記具1が突出状態から没入状態へと推移する過程を説明する。
（１）図９（Ａ）は、突出状態からボタン50を後進させ始めた状態を示した図である。この状態においては、ボタン胴部52の下段とホルダー開口部31の後端縁との当接が解除されており、これに伴って第１磁石60と第２磁石61との当接も解除されている。
【００３２】
（２）図９（Ｂ）は、ボタン50を後軸開口部14の先端縁から後端縁まで摺動させた状態を示した図である。この状態では、段部54とホルダー開口部31の後端縁とが当接している。また、ボタン50の後進に伴って、第２磁石61も第１磁石60と引き合うことが可能な位置まで移動するとともに、スライダー40に連結しているリフィル20も軸筒10内を後進し、筆記先端21の一部が軸筒10内に没入している。
【００３３】
（３）図９（Ｃ）は、没入状態を示した図である。この没入状態においては、第１磁石60と第２磁石61とが引き合うことで第２磁石61が軸筒10内を後進し、第１磁石60の直後に位置している。また、これに伴って、スライダー40に連結しているリフィル20も軸筒10内を後進した結果、筆記先端21が軸筒10内に完全に没入している。すなわち、本実施の形態に係る筆記具1は、使用者がボタン50を後軸開口部14の先端縁から後端縁まで摺動させた距離だけでは、没入状態に至ることができず、この移動距離に加えて、磁力により第２磁石61が第１磁石60の直後まで移動する距離が相まって、はじめて没入状態に至ることができる。
【００３４】
（筆記具1の特性）
本実施の形態に係る筆記具1は、以上のように構成されているので、以下の効果を奏する。
本実施の形態に係る筆記具1を没入状態から突出状態へと推移させた場合、使用者は、他のノック式の筆記具とは異なる心地よい動作感、及び新たな感覚を得ることができる。
すなわち、他のノック式の筆記具の没入状態から突出状態への移動は、筆記具をノックして軸筒内のリフィルと連結したノック部品を前進させた結果、ノック部品と他の部品とが係合することで突出状態を維持するという構成となっている。そして、このノック部品が他の部品と係合する過程は、一度他の部品をノック部材が所定の幅だけ前方に追い越した後、ノック部品が所定の幅だけ後進して係合することでノック部品が定位置に収まる、といったものである。
【００３５】
一方、本実施の形態に係る筆記具1の没入状態から突出状態への推移は、使用者により第１磁石60に沿って前進させられた第２磁石61が磁力により第１磁石60と引き合うことで、第２磁石61が一発で定位置に収まるというものである。したがって、他のノック式の筆記具のように余分な前方への移動を生じることがなくリフィル20の出没に関与する第２磁石61が一発で定位置に収まるため、従来の他の筆記具とは異なる心地よい動作感及び新たな感覚を得ることができる。
【００３６】
また、本実施の形態に係る筆記具1は、他のノック式の筆記具と比べて構成する部品数が少ないため、小サイズの筆記具を提供することができる。すなわち、リフィル20の出没に関与する部品は主として第１磁石60及び第２磁石61の２つの磁石なので、他のノック式の筆記具のようなノック機構を搭載する必要がない。そのため、軸筒10の外径を小さくすることができ、従来よりも小サイズの筆記具を提供することができる。
【００３７】
さらに、本実施の形態に係る筆記具1は、使用者がボタン50を摺動させた距離の約２倍の移動量を確保することができる。すなわち、使用者がボタン50を摺動させた距離に、第２磁石61が第１磁石60と引き合い反発して移動する距離が加わるため、実際に摺動させた距離の約２倍、軸筒10内の部品が移動可能となっている。そのため、従来とは異なる機能性を備えるとともに、全長の短い筆記具とすることも可能となり、さらに使用者に不思議な感覚を与え、筆記具1についての関心を高めることができる。
【符号の説明】
【００３８】
1  筆記具
10  軸筒                                  11  先軸
12  先軸雄ネジ                            13  後軸
14  後軸開口部                            15  後軸雌ネジ
20  リフィル                              21  筆記先端
30  ホルダー                              31  ホルダー開口部
32  第１磁石収容部
40  スライダー                            41  スライダー胴部
42  スライダー挿入部                      43  スライダー収容溝
44  第２磁石収容部
50  ボタン                                51  ボタン突出部
52  ボタン胴部                            53  ボタン挿入部
54  段部
60  第１磁石                              61  第２磁石
【図１】
2018158522.tif 000003
【図２】
2018158522.tif 000004
【図３】
2018158522.tif 000005
【図４】
2018158522.tif 000006
【図５】
2018158522.tif 000007
【図６】
2018158522.tif 000008
【図７】
2018158522.tif 000009
【図８】
2018158522.tif 000010
【図９】
2018158522.tif 000011